(57)【要約】【課題】施工作業が容易であると共に、ネットをしっかりと外壁に留め付けることが可能な外壁のタイル張り工法及びこの工法によりタイル張りされた外壁を提供する。【解決手段】隣り合う外装材４，４同士の継ぎ目に跨ってジョイントテープ５を貼り付ける。外壁１の前面に、合成繊維製のネット６を重ね合わせ、ジョイントテープ５に付着させる。次いで、ワッシャ７及び皿ビス８（８Ａ，８Ｂ）によってネット６を外壁１に固定する。ビス挿通孔７ａは、皿ビス８の頭部８ａの略全体が嵌合するテーパ形状となっている。このため、ビス打ち後には、頭部８ａはワッシャ７の外向き面から非突出状となる。ネット６を塗り込めるようにしてタイル接着用の弾性接着剤１０を塗着する。その後、この弾性接着剤層の上にタイル１１を押し当てて接着する。【選択図】図１
2005133493.tif 000002
【特許請求の範囲】
【請求項１】
外壁をタイル張りする工法であって、
該外壁にネットを重ね、ビス挿通孔を有したワッシャを介して皿ビスを該外壁にねじ込むことにより前記ネットを外壁に留め付け、
該ネットの上から外壁に接着剤を塗着し、次いでタイル張りする外壁のタイル張り工法において、
前記ワッシャのビス挿通孔は、前記皿ビスの頭部が嵌合するテーパ形状となっており、
該皿ビスの頭部が、該ワッシャのネットと反対側の面から非突出状となるようにビス打ちすることを特徴とする外壁のタイル張り工法。
【請求項２】
請求項１において、両面が粘着材料よりなる粘着テープを外壁に貼着し、該粘着テープの上に第１のネットの側端を重ね合わせ、その上に、該第１のネットに隣接配置される第２のネットの側端を重ね合わせ、これらの第１及び第２のネットを該粘着テープによって外壁に付着させることを特徴とする外壁のタイル張り工法。
【請求項３】
外壁にネットを取り付け、
該ネットの上から外壁に接着剤を塗着し、次いでタイル張りする外壁のタイル張り工法において、
該ネットの取り付けに際し、両面が粘着材料よりなる粘着テープを外壁に貼着し、
該粘着テープの上にネットの側端を重ね合わせ、該ネットを該粘着テープによって外壁に付着させることを特徴とする外壁のタイル張り工法。
【請求項４】
外壁に複数枚のネットを取り付け、
該ネットの上から外壁に接着剤を塗着し、次いでタイル張りする外壁のタイル張り工法において、
該ネットの取り付けに際し、両面が粘着材料よりなる粘着テープを外壁に貼着し、
該粘着テープの上に第１のネットの側端を重ね合わせ、その上に、該第１のネットに隣接配置される第２のネットの側端を重ね合わせ、これらの第１及び第２のネットを該粘着テープによって外壁に付着させることを特徴とする外壁のタイル張り工法。
【請求項５】
請求項１ないし４のいずれか１項に記載の工法によりタイル張りされた外壁。
【発明の詳細な説明】
【技術分野】
【０００１】
本発明は、外壁をタイル張り壁にするための工法及びこのタイル張り工法によりタイル張りされた外壁に関する。
【背景技術】
【０００２】
外壁がモルタルの吹付け仕上げやサイディング材などによって仕上げられたものである場合、経年的に表面が劣化し、美観が損なわれてくることがある。例えば、吹き付けたモルタル層が部分的に浮き上がったり、サイディング表面の塗装が部分的に剥れてくることがある。
【０００３】
このような場合、劣化した既存サイディング材を取り除き、新規サイディング材を取り付けることがあるが、大掛りな工事になると共に、除去作業時に大量に塵埃が発生する。
【０００４】
劣化部分を除去することなく外壁をタイル張りにタイル張りする方法として、外壁に胴縁を取り付け、その上にタイルパネルを留め付ける工法がある。
【０００５】
この胴縁及びタイルパネルを用いるタイル張り工法にあっては、胴縁及びタイルパネルの基板により仕上り厚みがかなり大きくなる。また、部分的にタイル張りタイル張りする場合には不向きである。また、胴縁及びタイルパネルが外壁に剛に固定されるため、外壁の動き（伸縮）が直接的にタイルに影響し、タイルに亀裂が入る可能性がある。
【０００６】
別の工法として、特開２０００−２１３１８１号公報に、ネットをワッシャ及びビスで固定し、セメント系モルタル等の張付材料によってタイルを張り付ける工法が記載されている。
【０００７】
同号公報の図１〜４の外壁のタイル張り工法では、外壁にネット張り付け用接着剤を介してネットを張り付けた後、ドリル等で該外壁にワッシャ及びビスの頭部を収容するための凹所を形成する。次に、ワッシャを介して該凹所内にビス打ちしてネットを外壁に留め付ける。その後、このネットの上からタイル張り付け用の接着剤を塗布し、次いでタイル張りする。
【０００８】
この外壁のタイル張り工法においては、ワッシャ及びビス頭部が外壁に設けられた凹所内に配置されるため、ネットの前面から突出しない。このため、接着剤の塗布厚みを小さくすることができる。
【０００９】
また、同号公報の図７〜９の外壁のタイル張り工法では、皿形の頭部にワッシャが溶接により固着されており、該頭部がワッシャのネットと反対側の面から非突出状となっているビスによりネットを外壁に留め付けている。
【００１０】
この外壁のタイル張り工法にあっては、ワッシャのネットと反対側の面からビスの頭部が突出していないので、ビス打ち後のネットからの突出厚みは十分に小さいものとなる。また、これにより、外壁にワッシャ及びビス頭部を収容するための凹所を設ける必要がなく、施工作業が容易である。
【特許文献１】特開２０００−２１３１８１号公報
【発明の開示】
【発明が解決しようとする課題】
【００１１】
上記特開２０００−２１３１８１号公報の図１〜４では、外壁にワッシャ及びビス頭部を収容するための凹所を設ける必要があるため、施工作業に手間がかかる。
【００１２】
同号公報の図７〜９の外壁のタイル張り工法にあっては、ワッシャがビスの頭部に固着一体化されているので、例えば、ビスが外壁に斜めにねじ込まれた場合には、ワッシャは該外壁に対して全面的に重なることができず、その外周縁の一部のみがネットに当接し、これと反対側は浮き上ってしまう。
【００１３】
そのため、この場合には、ワッシャがネットに対し十分に当接せず、ネットをしっかりと押え付けることができなくなる。また、ワッシャの浮き出し部分に接着剤塗布用のコテ（鏝）が引掛かり易くなり、作業性が低下する。
【００１４】
本発明は、施工作業が容易であると共に、ネットをしっかりと外壁に留め付けることが可能な外壁のタイル張り工法及びこの工法によりタイル張りされた外壁を提供することを目的とする。
【課題を解決するための手段】
【００１５】
本発明（請求項１）の外壁のタイル張り工法は、外壁をタイル張りする方法であって、該外壁にネットを重ね、ビス挿通孔を有したワッシャを介して皿ビスを該外壁にねじ込むことにより前記ネットを外壁に留め付け、該ネットの上から外壁に接着剤を塗着し、次いでタイル張りする外壁のタイル張り工法において、前記ワッシャのビス挿通孔は、前記皿ビスの頭部が嵌合するテーパ形状となっており、該皿ビスの頭部が、該ワッシャのネットと反対側の面から非突出状となるようにビス打ちすることを特徴とするものである。
【００１６】
本発明において、外壁に複数枚の外装材が配設されている場合には、該外壁にネットを重ねるのに先立ち、隣り合う外装材同士の継ぎ目に跨がってテープを付着させるのが好ましい。
【００１７】
このテープとしては、例えば、帯状の不織布の一方の面に粘着材料を付着ないし含浸させてなる、「ジョイントテープ」などと称される片面粘着テープが好ましい。
【００１８】
本発明の一態様（請求項２）では、両面が粘着材料よりなる粘着テープを外壁に貼着し、該粘着テープの上に第１のネットの側端を重ね合わせ、その上に、該第１のネットに隣接配置される第２のネットの側端を重ね合わせ、これらの第１及び第２のネットを該粘着テープによって外壁に付着させる。
【００１９】
本発明（請求項３）の外壁のタイル張り工法は、外壁にネットを取り付け、該ネットの上から外壁に接着剤を塗着し、次いでタイル張りする外壁のタイル張り工法において、該ネットの取り付けに際し、両面が粘着材料よりなる粘着テープを外壁に貼着し、該粘着テープの上にネットの側端を重ね合わせ、該ネットを該粘着テープによって外壁に付着させることを特徴とするものである。
【００２０】
本発明（請求項４）の外壁のタイル張り工法は、外壁に複数枚のネットを取り付け、該ネットの上から外壁に接着剤を塗着し、次いでタイル張りする外壁のタイル張り工法において、該ネットの取り付けに際し、両面が粘着材料よりなる粘着テープを外壁に貼着し、該粘着テープの上に第１のネットの側端を重ね合わせ、その上に、該第１のネットに隣接配置される第２のネットの側端を重ね合わせ、これらの第１及び第２のネットを該粘着テープによって外壁に付着させることを特徴とするものである。
【００２１】
本発明（請求項５）の外壁は、かかる本発明の方法により外壁をタイル張りしたものである。
【発明の効果】
【００２２】
本発明（請求項１）の外壁のタイル張り工法にあっては、ワッシャのビス挿通孔は、皿ビスの頭部が嵌合するテーパ形状となっており、該皿ビスの頭部がワッシャのネットと反対側の面（以下、外向き面ということがある。）から非突出状となる。このため、該ワッシャ及び皿ビスによりネットを外壁に留め付けた場合、該皿ビスの頭部がワッシャの外向き面から突出せず、ネットの外面からの突出厚みは十分に小さいものとなる。これにより、外壁にワッシャ及びビス頭部を収容するための凹所を設ける必要がなく、施工作業が容易である。
【００２３】
また、この外壁のタイル張り工法にあっては、ワッシャはビスの頭部に固着一体化されていないので、ビスが外壁に対して斜めに打ち込まれた場合でも、ワッシャは外壁とほぼ平行となり、該ワッシャによってしっかりとネットを外壁に留め付けることができる。また、ワッシャが外壁とほぼ平行となるので、接着剤塗着時にコテがワッシャに引掛かることがなく、接着剤塗着作業もスムーズに行うことができる。
【００２４】
本発明において、外壁に複数枚の外装材が配設されている場合には、該外壁に前記ネットを重ねるのに先立ち、隣り合う外装材同士の継ぎ目に跨がってテープを付着させることが好ましい。このようにした場合には、温度変化等により各外装材が膨張・収縮し、隣り合う外装材同士がずれた場合でも、このずれによってタイルに加えられる応力がテープによって吸収されるため、タイルの割れや剥離等を防止することができる。
【００２５】
このテープとしては、帯状の不織布の一方の面に粘着材料を付着ないし含浸させてなる、「ジョイントテープ」などと称されるテープが応力吸収性能が高く、好ましい。
【００２６】
本発明において、両面が粘着材料よりなる粘着テープを外壁に貼着し、該粘着テープの上に第１のネットの側端を重ね合わせ、その上に、該第１のネットに隣接配置される第２のネットの側端を重ね合わせ、これらの第１及び第２のネットを該粘着テープによって外壁に付着させる構成とした場合（請求項２）には、複数枚のネットを外壁に配設するに際し、各ネットを順次に粘着テープを介して外壁に仮留めしておくことができるので、作業性がきわめて高いものとなる。また、この際、隣り合うネットの側端同士が共通の粘着テープに付着されるので、テープの使用量が少なくて済むと共に、粘着テープを外壁に貼り付ける手数も少なくて済み、効率よく作業を行うことができる。
【００２７】
なお、このように粘着テープによりネットを外壁に付着させるようにした場合、ネットの側端部と粘着テープを通して外壁にタッカーを打ち込むようにしてもよい。こうすることにより、ネットの側端部をしっかりと外壁に留め付けておくことができる。
【００２８】
請求項３の外壁のタイル張り工法にあっても、ネットを外壁に配設するに際し、ネットを粘着テープを介して外壁に仮留めしておくことができるので、作業性がきわめて高いものとなる。
【００２９】
また、請求項４の外壁のタイル張り工法にあっても、複数枚のネットを外壁に配設するに際し、各ネットを順次に粘着テープを介して外壁に仮留めしておくことができるので、作業性がきわめて高いものとなる。また、この際、隣り合うネットの側端同士が共通の粘着テープに付着されるので、粘着テープの使用量が少なくて済むと共に、粘着テープを外壁に貼り付ける手数も少なくて済み、効率よく作業を行うことができる。
【００３０】
これら請求項３，４の外壁のタイル張り工法においても、各ネットの側端部と粘着テープを通して外壁にタッカーを打ち込むようにすることにより、各ネットの側端部をしっかりと外壁に留め付けておくことができる。
【発明を実施するための最良の形態】
【００３１】
図１，２は本発明の実施の形態に係る外壁のタイル張り工法の工程を示す斜視図、図３（ａ）はこのタイル張り工法に用いられるワッシャ及びビスの斜視図、図３（ｂ）は図３（ａ）のＢ−Ｂ線に沿う断面図、図４はこのタイル張り工法によりタイル張りされた外壁の縦断面図、図５は図４のＶ−Ｖ線に沿う断面図である。
【００３２】
この実施の形態では、外壁１は、柱２、間柱３に取り付けられた複数枚の板状の外装材４にて構成されている。ただし、外壁はコンクリート壁、サイディング壁、モルタル吹付壁など各種のもののいずれでもよく、既存の外壁であってもよい。
【００３３】
図１（ａ）に示すように、隣り合う外装材４，４同士の継ぎ目に跨ってジョイントテープ５を貼り付ける。この実施の形態では、該ジョイントテープ５は、帯状の不織布の一方の面に粘着材料としてブチルゴムを付着ないし含浸させた片面粘着テープであり、厚み方向及び面方向の双方に弾力性（クッション性）を有している。なお、この実施の形態では、図１（ａ）の通り、外装材４は左右方向に多列に且つ上下方向に多段に配設されており、ジョイントテープ５は、左右方向に隣接する外装材４，４同士の継ぎ目に沿ってのみ設けられているが、上下に隣接する外装材４，４同士の継ぎ目に沿っても設けられてもよい。
【００３４】
次に、外壁１の前面に両面粘着テープ（図示略）を付着させる。この両面粘着テープは、帯状の不織布の両面に粘着材料としてブチルゴムを付着ないし含浸させてなるものである。その後、図１（ｂ）のように、合成繊維製のネット６を外壁に重ね合わせ、該両面粘着テープに付着させる。次いで、ワッシャ７及び皿ビス８（８Ａ，８Ｂ）によって該ネット６を外壁１に固定する。
【００３５】
なお、図５に示すように、外装材４の裏側に柱２又は間柱３が配置されている箇所においては、該外装材４とその裏側（外装材４と柱２又は間柱３との間）に設けられた胴縁９との厚みの和よりも長い皿ビス８Ａを用い、柱２及び間柱３が配置されていない箇所においては、外装材４の厚みと略々同程度の長さの皿ビス８Ｂを用いる。この長い皿ビス８Ａは、外装材４及び胴縁９を貫通して柱２又は間柱３にまで螺じ込まれる。短い皿ビス８Ｂは、外装材４の裏面から殆ど又は全く突出しない。
【００３６】
ネット６は、長いビス８Ａ及びワッシャ７を介して各柱２及び間柱３に対し固定される。
【００３７】
このネット６の目開きは５〜２０ｍｍ程度が好適である。
【００３８】
ワッシャ７は、このネット６の目開きよりも大きい直径を有した略円盤形状のものである。このワッシャ７の中央部にビス挿通孔７ａが設けられている。このビス挿通孔７ａは、図５（ｂ）に示すように、前記皿ビス８の頭部８ａの略全体が嵌合するテーパ形状となっている。このため、ビス打ち後には、図４に示す通り、該頭部８ａはこのワッシャ７の外向き面（ネット６と反対側の面）から非突出状となる。
【００３９】
次に、図２のように、該ネット６を塗り込めるようにしてタイル接着用の弾性接着剤１０を塗着する。この弾性接着剤１０としては、変性エポキシ系あるいは変性シリコン系接着剤等を用いることができる。
【００４０】
その後、この弾性接着剤層の上にタイル１１を押し当てて接着する。その後、必要に応じ目地詰めする。
【００４１】
このようにしてタイル張りされた外壁は、美麗なタイル壁となる。
【００４２】
この外壁のタイル張り工法にあっては、ワッシャ７のビス挿通孔７ａは皿ビス８の頭部８ａが嵌合するテーパ形状となっており、該皿ビス８の頭部８ａがワッシャ７の外向き面から非突出状となるようにビス打ちされるため、ネット６を該ワッシャ７及び皿ビス８によって外壁１に留め付けた場合、該ネット６の前面からの突出厚みが十分に小さいものとなる。これにより、外壁１にワッシャ７及び皿ビス８の頭部８ａを収容するための凹所を設ける必要がなく、施工作業が容易である。
【００４３】
また、この外壁のタイル張り工法にあっては、ワッシャ７は皿ビス８と別体のものである。このため、皿ビス８が外壁１に対して斜めに打ち込まれた場合でも、ワッシャ７が外装材４とほぼ平行となり、該ワッシャ７によってしっかりとネット６を留め付けることができる。また、ワッシャ７が外装材４とほぼ平行であるので、弾性接着剤１０の塗着時にコテが引掛かることがなく、弾性接着剤１０の塗着作業もスムーズに行うことができる。
【００４４】
この実施の形態では、隣り合う外装材４，４の継ぎ目に跨ってクッション性を有するジョイントテープ５が設けられているので、温度変化等により各外装材４が膨張・収縮し、隣り合う外装材４，４同士がずれた場合でも、このずれによってタイル１１に加えられる応力が該ジョイントテープ５によって吸収されるため、タイル１１の割れや剥離等を防止することができる。
【００４５】
また、このジョイントテープ５を介してネット６を仮留めしておくことができるので、ビス留め作業性が大幅に向上する。
【００４６】
図６は、別の実施の形態に係る外壁のタイル張り工法の工程を示す斜視図である。
【００４７】
この実施の形態では、複数枚のネット６が外壁１に沿って左右方向に隣接配置される。以下に、この複数枚のネット６の外壁１への配設手順について説明する。
【００４８】
まず、前述の実施の形態と同様、隣り合う外装材４，４同士の継ぎ目に跨ってジョイントテープ５（図示略。図１，２参照）を貼り付ける。
【００４９】
次に、両面粘着テープ１６を上下方向に延在するように且つ、各テープ相互間にネット１枚分の間隔をあけるようにして、複数条の両面粘着テープ１６を外壁１に付着させる。この両面粘着テープ１６は、この実施の形態でも、帯状の不織布の両面にブチルゴムを付着ないし含浸させてなるものである。
【００５０】
次に、両面粘着テープ１６とその隣りの両面粘着テープ１６（図示略）との間に１枚目のネット６を配置し、この１枚目のネット６の両側端部をそれぞれ各両面粘着テープ１６，１６に付着させる。次いで、該１枚目のネット６に隣接するように２枚目のネット６を配置し、この２枚目のネット６の両側端部をそれぞれ両面粘着テープ１６に付着させる。この際、両面粘着テープ１６に付着している１枚目のネット６の右側端部の上から、２枚目のネット６の左側端部を重ね合わせ、この両面粘着テープ１６に付着させる。
【００５１】
その後、該２枚目のネット６の左側端部、１枚目のネットの右側端部及び両面粘着テープ１６を通して外壁１にタッカー１５を打ち込み、これらを一体的に該外壁１に留め付ける。
【００５２】
その後、これと同様の手順で３枚目以降のネット６を順次配設する。なお、多数、例えばすべてのネット６を貼り付けてからタッカー打ちを行ってもよい。
【００５３】
このようにしてネット６を外壁１に取り付けた後、ワッシャ７を介して皿ビス８を所定の打ち込みピッチにて外壁１に打ち込み、各ネット６を外壁１に固定する。
【００５４】
その後は、前記図１〜５の実施の形態と同様に弾性接着剤を塗着し、タイル張りする。
【００５５】
この図６の外壁のタイル張り工法によれば、両面粘着テープ１６とタッカー１５とによりネット６を仮留めするので、ネット６をしっかりと仮留めすることができる。また、１条の両面粘着テープ１６の上に２枚のネットの右側端部と左側端部とが重なって粘着されるので、両面粘着テープ１６の使用量が少ない。
【図面の簡単な説明】
【００５６】
【図１】実施の形態に係る外壁のタイル張り工法の説明図である。
【図２】図１の工法の説明図である。
【図３】ワッシャ及び皿ビスの構成図である。
【図４】図１のタイル張り工法によりタイル張りされた外壁の縦断面図である。
【図５】図４のＶ−Ｖ線断面図である。
【図６】別の実施の形態に係る外壁のタイル張り工法の説明図である。
【符号の説明】
【００５７】
１  外壁
４  外装材
５  ジョイントテープ
６  ネット
７  ワッシャ
７ａ  ビス挿通孔
８  皿ビス
８ａ  頭部
１０  弾性接着剤
１１  タイル
１５  タッカー
１６  両面粘着テープ
【図１】
2005133493.tif 000003
【図２】
2005133493.tif 000004
【図３】
2005133493.tif 000005
【図４】
2005133493.tif 000006
【図５】
2005133493.tif 000007
【図６】
2005133493.tif 000008